(57)【要約】【課題】  携帯型の安価な設備で、電源のない所でもフラットケーブル接続端子の接続を容易に行えるフラットケーブル用端子接続治具を得る。【解決手段】  １対の挟みアーム１８，１９を連結軸でＸ形に開閉自在に連結して、連結軸に対して一方側を１対の柄部、他方側を１対の挟み部１８ｂ，１９ｂとしている挟み工具を用いる。１対の挟み部１８ｂ，１９ｂの一方の挟み部１８ｂの内面にはフラットケーブル接続端子４を各クリンプ片８が他方の挟み部１９ｂの内面に対向する向きで仮留めする端子仮留め溝２２を設け、１対の挟み部１８ｂ，１９ｂの他方の挟み部１９ｂの内面にはフラットケーブルを突き抜けた各クリンプ片８を折り曲げて加締めるクリンプ片曲成加締め凹部２３を設ける。【選択図】  図２
2005050718.tif 000002
【特許請求の範囲】
【請求項１】
フラット導体がフラット絶縁被覆で被覆されたフラットケーブルに、端子板部の幅方向の両側に複数のクリンプ片が立設されている構造のフラットケーブル接続端子の前記各クリンプ片を前記フラット導体の箇所で突き刺し、前記クリンプ片と前記フラット導体との導通を取り、前記フラットケーブルを突き抜けた前記各クリンプ片を折り曲げて加締めるフラットケーブル用端子接続治具において、
１対の挟みアームを連結軸で開閉自在に連結して、前記連結軸に対して一方側が１対の柄部、他方側が１対の挟み部となっている挟み工具を備え、１対の前記挟み部の一方の内面には前記フラットケーブル接続端子を前記各クリンプ片が他方の前記挟み部の内面に対向する向きで仮留めする端子仮留め溝が設けられ、１対の前記挟み部の他方の内面には前記フラットケーブルを突き抜けた前記各クリンプ片を折り曲げて加締めるクリンプ片曲成加締め凹部が設けられていることを特徴とするフラットケーブル用端子接続治具。
【請求項２】
１対の前記挟み部のいずれか一方の内面には前記フラットケーブルの前記フラット導体の幅方向の両側で前記フラット絶縁被覆をトリミングする１対のトリミング突起が突設され、１対の前記挟み部の他方の内面には１対の前記トリミング突起を受けるトリミング突起受け溝が設けられていることを特徴とする請求項１に記載のフラットケーブル用端子接続治具。
【発明の詳細な説明】
【技術分野】
【０００１】
本発明は、電気機器や自動車の電気配線に使用されるフラットケーブルにフラットケーブル接続端子を接続するフラットケーブル用端子接続治具に関するものである。
【背景技術】
【０００２】
電気機器や自動車の電気配線にフラットケーブルが使用されるようになってきている。フラットケーブル１は、図８に示すように、例えば複数条のフラット導体２が平行に所定間隔で並設され、これらフラット導体２がフラット絶縁被覆３で一括被覆された構造になっている。このようなフラットケーブル１にフラットケーブル接続端子４を接続する場合には、フラットケーブル１の端部で隣接するフラット導体２の間のフラット絶縁被覆３にトリミングスリット５を設けている。フラットケーブル接続端子４は、雌端子本体６の端部に一体に連設されている端子板部７の幅方向の両側に複数のクリンプ片８が対形にあるいは千鳥状に立設された構造になっている。
【０００３】
このようなフラットケーブル接続端子４は、図９に示すように、フラット導体２の箇所で各クリンプ片８がフラットケーブル１に突き刺されて、クリンプ片８とフラット導体２とが導通され、フラットケーブル１を突き抜けた各クリンプ片８は内向きに折り曲げられて加締められフラットケーブル１に接続され、接続部９が形成される。
【０００４】
フラットケーブル１の端部でフラット導体２の幅方向の両側のフラット絶縁被覆３に、先端に開口するトリミングスリット５を設けているのは、図示しないが複数の端子室を隔壁を介して並設しているコネクタハウジングの該端子室に、フラットケーブル１の端部でフラット導体２に接続したフラットケーブル接続端子４を収容する際に、フラット絶縁被覆３がコネクタハウジングの隔壁に当たってフラットケーブル接続端子４の挿入を阻害するのを、トリミングスリット５に隔壁を嵌めることにより防止することができる。
【０００５】
従来、このような接続部９の形成は、図１０に示すようなフラットケーブル用端子接続装置１０を用いて行っていた。このフラットケーブル用端子接続装置１０は、下部にケーブル支え台１１を備え、このケーブル支え台１１の上面には１対のクリンプ片受け溝１２が仕切り板１３で仕切って設けられ、これらクリンプ片受け溝１２の横にクリンプ片曲成加締め凹部１４が隣接して並設されている。このケーブル支え台１１の上面にフラットケーブル１を、そのフラット導体２が１対のクリンプ片受け溝１２の上に位置決めされるように載せる。このフラットケーブル１のフラット導体２に対応する位置にクリンプ片８が対向するようにフラットケーブル接続端子４が位置決めされるようになっている。ケーブル支え台１１の上には、フラットケーブル接続端子４を加圧するアンビル１５とそれをガイドするガイド部材１６が配置されている。
【０００６】
このようなフラットケーブル用端子接続装置１０では、ケーブル支え台１１の上面にフラットケーブル１を、そのフラット導体２が１対のクリンプ片受け溝１２の上に位置決めされるように載せる。かかる状態で、アンビル１５によりフラットケーブル接続端子４を加圧し、各クリンプ片８をフラットケーブル１に突き刺し、クリンプ片８をフラット導体２に導通させ、フラットケーブル１を突き抜けた各クリンプ片８をクリンプ片受け溝１２で受ける。しかる後、ケーブル支え台１１を矢印Ａ方向に下降させ、各クリンプ片８からクリンプ片受け溝１２を外す。次に、ケーブル支え台１１を矢印Ｂ方向に水平移動させ、各クリンプ片８にクリンプ片曲成加締め凹部１４が対向した位置でケーブル支え台１１の移動を停止させる。しかる後、ケーブル支え台１１を矢印Ｃ方向にに上昇させる。これによりフラットケーブル１の下面に突出されている各クリンプ片８を円弧状に曲成して加締める。このようにすると、図９に示す接続部９が得られる（例えば、特許文献１参照。）。
【特許文献１】特開２００２−３１３１５０号公報
【発明の開示】
【発明が解決しようとする課題】
【０００７】
しかしながら、図１０に示すようなフラットケーブル用端子接続装置１０では、ケーブル支え台１１の順次移動のためのシーケンス制御が必要であって、設備費用が高く、また小回りが利かないため作業場所の制約も多く、特に工賃の安い海外で使用するにはコスト的に非常に不利となる問題点があった。さらに、従来では、フラットケーブル１に設けるトリミングスリット５と、フラットケーブル接続端子４の接続を別工程で行っていたので、作業能率が悪い問題点があった。
【０００８】
本発明の目的は、携帯型の安価な設備で、電源のない所でもフラットケーブル接続端子の接続を容易に行えるフラットケーブル用端子接続治具を提供することにある。
【０００９】
本発明の他の目的は、フラットケーブルに対するトリミングスリットの形成も一緒に行えるフラットケーブル用端子接続治具を提供することにある。
【００１０】
本発明の他の目的は、フラット導体の位置決めを目視により容易に行えるフラットケーブル用端子接続治具を提供することにある。
【００１１】
本発明の他の目的は、フラットケーブルの先端の位置決めを容易に行えるフラットケーブル用端子接続治具を提供することにある。
【００１２】
本発明の他の目的は、接続すべきフラット導体の隣のフラット導体に先にフラットケーブル接続端子が接続されていても、このフラットケーブル接続端子に後から加圧力を加えないで接続を行えるフラットケーブル用端子接続治具を提供することにある。
【課題を解決するための手段】
【００１３】
本発明は、フラット導体がフラット絶縁被覆で被覆されたフラットケーブルに、端子板部の幅方向の両側に複数のクリンプ片が立設されている構造のフラットケーブル接続端子の各クリンプ片をフラット導体の箇所で突き刺し、クリンプ片とフラット導体との導通を取り、フラットケーブルを突き抜けた各クリンプ片を折り曲げて加締めるフラットケーブル用端子接続治具を対象とする。
【００１４】
本発明に係るフラットケーブル用端子接続治具は、１対の挟みアームを連結軸でＸ形に開閉自在に連結して、連結軸に対して一方側が１対の柄部、他方側が１対の挟み部となっている挟み工具を備え、１対の挟み部の一方の内面にはフラットケーブル接続端子を各クリンプ片が他方の前記挟み部の内面に対向する向きで仮留めする端子仮留め溝が設けられ、１対の挟み部の他方の内面にはフラットケーブルを突き抜けた各クリンプ片を折り曲げて加締めるクリンプ片曲成加締め凹部が設けられていることを特徴とする。
【００１５】
このようなフラットケーブル用端子接続治具では、１対の挟み部の一方の内面の端子仮留め溝にフラットケーブル接続端子をその各クリンプ片が他方の挟み部の内面に対向する向きで仮留めし、かかる状態で１対の挟み部の間にフラットケーブルをそのフラット導体がクリンプ片に対向するように配置して１対の柄部を作業者の手で締めることにより１対の挟み部を相互に接近する方向に移動して各クリンプ片をフラット導体の位置でフラットケーブルに突き刺し、クリンプ片とフラット導体との導通を取り、フラットケーブルを突き抜けた各クリンプ片をクリンプ片曲成加締め凹部で折り曲げて加締めることにより接続部を形成できる。このようなフラットケーブル用端子接続治具は、携帯型の安価な設備であり、電源のない所でもフラットケーブル接続端子の接続を容易に行うことができる。
【００１６】
この場合、１対の挟み部のいずれか一方の内面にはフラットケーブルのフラット導体の幅方向の両側でフラット絶縁被覆をトリミングする１対のトリミング突起が突設され、１対の挟み部の他方の内面には１対のトリミング突起を受けるトリミング突起受け溝が設けられていると、１対の挟み部でフラットケーブルを挟む際にフラットケーブルに対するトリミングスリットの形成も一緒に行うことができる。
【発明の効果】
【００１７】
本発明に係るフラットケーブル用端子接続治具は、１対の挟みアームを連結軸でＸ形に開閉自在に連結して、連結軸に対して一方側が１対の柄部、他方側が１対の挟み部となっている挟み工具を備え、１対の挟み部の一方の内面にはフラットケーブル接続端子を各クリンプ片が他方の前記挟み部の内面に対向する向きで仮留めする端子仮留め溝が設けられ、１対の挟み部の他方の内面にはフラットケーブルを突き抜けた各クリンプ片を折り曲げて加締めるクリンプ片曲成加締め凹部が設けられた構造になっているので、携帯型の安価な設備であり、電源のない所でもフラットケーブル接続端子の接続を容易に行うことができる。
【００１８】
この場合、１対の挟み部のいずれか一方の内面にはフラットケーブルのフラット導体の幅方向の両側でフラット絶縁被覆をトリミングする１対のトリミング突起が突設され、１対の挟み部の他方の内面には１対のトリミング突起を受けるトリミング突起受け溝が設けられていると、１対の挟み部でフラットケーブルを挟む際にフラットケーブルに対するトリミングスリットの形成も一緒に行うことができる。
【発明を実施するための最良の形態】
【００１９】
図１乃至図３は本発明に係るフラットケーブル用端子接続治具の最良の形態の一例を示したもので、図１は本例のフラットケーブル用端子接続治具の側面図、図２は図１の先端に設けられている挟み部の矢視図であって、この図の（Ａ）は図１のＡ方向矢視図、この図の（Ｂ）は図１のＢ方向矢視図、図３は図２の（Ａ）のＣ方向矢視図である。
【００２０】
本例のフラットケーブル用端子接続治具１７は、図１に示すように、１対の挟みアーム１８，１９を連結軸２０でＸ形に開閉自在に連結して、連結軸２０に対して一方側が１対の柄部１８ａ，１９ａ、他方側が１対の挟み部１８ｂ，１９ｂとなっている挟み工具２１を備えている。１対の挟み部１８ｂ，１９ｂの一方の挟み部１８ｂの内面には、図２の（Ａ）及び図３に示すように、フラットケーブル接続端子４を各クリンプ片８が他方の挟み部１９ｂの内面に対向する向きで仮留めする端子仮留め溝２２が設けられ、１対の挟み部１８ｂ，１９ｂの他方の挟み部１９ｂ内面にはフラットケーブル１を突き抜けた各クリンプ片８を折り曲げて加締めるクリンプ片曲成加締め凹部２３と雌端子本体６を受ける端子本体受け凹部２４とが設けられている。端子仮留め溝２２の周壁部の内面には、図示しないがゴムの如きクッション材が貼り付けてあり、フラットケーブル接続端子４が容易に仮留めしたり、取り外したりすることができるようになっている。端子仮留め溝２２の深さは、各クリンプ片８がフラットケーブル１を突き刺して加締めたとき、端子板部７がフラットケーブル１の表面から突き出す高さに設定され、１対の挟み部１８ｂ，１９ｂがフラットケーブル１を挟んだ時にフラットケーブル接続端子４を必要以上に押圧しないようになっている。
【００２１】
また、１対の挟み部１８ｂ，１９ｂの一方の挟み部１８ｂの内面には、図２の（Ａ）（Ｂ）及び図３に示すように、フラットケーブル１のフラット導体２の幅方向の両側でフラット絶縁被覆３をトリミングする１対のトリミング突起２５が突設され、１対の挟み部１８ｂ，１９ｂの他方の挟み部１９ｂ内面には１対のトリミング突起２５を受けるトリミング突起受け溝２６が設けられている。トリミング突起２５の突出高さｈ2 は、図３に示すように、挟み部１８ｂの内面からのクリンプ片８の突出高さｈ1 より僅かに低く設定されている。
【００２２】
また、１対の挟み部１８ｂ，１９ｂの一方の挟み部１８ｂの先端の外面には、図２の（Ａ）及び図３に示すように、フラットケーブル１のフラット導体２の幅方向の中間部が、両側のクリンプ片８の幅方向の中央になるようにフラットケーブル１を位置決めするための突起よりなるフラット導体位置決め目標部２６が設けられている。
【００２３】
また、１対の挟み部１８ｂ，１９ｂの他方の挟み部１９ｂ内面には、図１乃至図３に示すように、フラットケーブル１の先端の先端の位置決めのための１対の突起よりなるケーブル先端位置決め部２７が１対のトリミング突起２５の内向き端部にほぼ対応して設けられている。１対の挟み部１８ｂ，１９ｂの一方の挟み部１８ｂの内面には、１対の突起よりなるケーブル先端位置決め部２７を受ける受け孔２８が設けられている。
【００２４】
さらに、１対の挟み部１８ｂ，１９ｂの幅方向の端部には、図２の（Ａ）（Ｂ）及び図３に示すように、先にフラットケーブル１に接続されているフラットケーブル接続端子４を加圧しないように逃がす凹部よりなる端子逃がし部２９が設けられている。
【００２５】
次に、このようなフラットケーブル用端子接続治具１７によりフラットケーブル１にフラットケーブル接続端子４を接続する動作について、図１乃至図３と共に図４乃至図７を参照して説明する。図４は本例のフラットケーブル用端子接続治具でフラットケーブルに接続作業を行っている状態の平面図、図５は本例のフラットケーブル用端子接続治具でフラットケーブルを挟持する前の状態を示す横断面図、図６は本例のフラットケーブル用端子接続治具でフラットケーブルを挟持した状態を示す横断面図、図７はフラットケーブルにフラットケーブル接続端子を接続した状態の平面図である。
【００２６】
まず、図２の（Ａ）及び図３に示すように、フラットケーブル用端子接続治具１７の１対の挟み部１８ｂ，１９ｂの一方の挟み部１８ｂの内面の端子仮留め溝２２にフラットケーブル接続端子４をその各クリンプ片８が他方の挟み部１９ｂの内面に対向する向きで仮留めする。次に、１対の挟み部１８ｂ，１９ｂの間にフラットケーブル１を、その先端が１対のケーブル先端位置決め部２７に当たり、その接続すべきフラット導体２の幅方向の中央が両側のクリンプ片８の中央に位置するように、フラット導体位置決め目標部２６をフラット導体２の幅方向の中央に位置させてフラットケーブル１を位置決めする。かかる状態で、１対の柄部１８ａ，１９ａを作業者の手で締めることにより、１対の挟み部１８ｂ，１９ｂを相互に接近する方向に移動して各クリンプ片８をフラット導体２の位置でフラットケーブル１に突き刺し、クリンプ片８とフラット導体２との導通を取り、フラットケーブル１を突き抜けた各クリンプ片８がクリンプ片曲成加締め凹部２３で折り曲げて加締めることにより接続部９を形成する。
【００２７】
また、１対の挟み部１８ｂ，１９ｂを相互に接近する方向に移動する動作の時に、フラット導体２の幅方向の両側のフラット絶縁被覆３の部分が各トリミング突起２５とトリミング突起受け溝２６との噛み合わせで切り取られてトリミングスリット５がフラットケーブル１の先端に開口して形成される。
【００２８】
上記例では、トリミング突起２５を挟み部１８ｂに設け、ケーブル先端位置決め部２７を挟み部１９ｂに設けたが、その代わりにトリミング突起２５を挟み部１９ｂに設け、ケーブル先端位置決め部２７を挟み部１８ｂに設けてもよい。
【００２９】
また、ケーブル先端位置決め部２７を１対の挟み部１８ｂ，１９ｂの一方の内面に突設したが、これらケーブル先端位置決め部２７は１対の挟み部１８ｂ，１９ｂの一方の外側面に突設してもよい。このようにすると、１対の挟み部１８ｂ，１９ｂの他方の内面に受け孔２８を設ける必要がなくなる。
【００３０】
さらに、フラット導体位置決め目標部２６は突起でなく、印刷等による標として設けてもよい。
【００３１】
上記のように本例のフラットケーブル用端子接続治具１７は、携帯型の安価な設備であり、電源のない所でもフラットケーブル接続端子４の接続を容易に行うことができる。
【００３２】
この場合、１対の挟み部１８ｂ，１９ｂのいずれか一方の内面にはフラットケーブル１のフラット導体２の幅方向の両側でフラット絶縁被覆３をトリミングする１対のトリミング突起２５が突設され、１対の挟み部１８ｂ，１９ｂの他方の内面には１対のトリミング突起２５を受けるトリミング突起受け溝２６が設けられているので、１対の挟み部１８ｂ，１９ｂでフラットケーブル１を挟む際にフラットケーブル１に対するトリミングスリット５の形成も一緒に行うことができる。
【００３３】
また、１対の挟み部１８ｂ，１９ｂのいずれか一方の外面にはフラット導体２の幅方向の位置決めのためのフラット導体位置決め目標部２６が設けられているので、このフラット導体位置決め目標部２６を目標にフラット導体２が存在するようにフラットケーブル１の位置決めをすることにより、フラット導体２の位置決めを目視により容易に行うことができる。
【００３４】
さらに、１対の挟み部１８ｂ，１９ｂのいずれか一方にはフラットケーブル１の先端の先端の位置決めのためのケーブル先端位置決め部２７が設けられているので、このケーブル先端位置決め部２７にフラットケーブル１の先端を当てることにより、フラットケーブル１の先端の位置決めを容易に行うことができる。
【００３５】
また、図６に示すように接続すべきフラット導体２の隣のフラット導体２にフラットケーブル接続端子４が先に接続されていても、挟み部１８ｂ，１９ｂの幅方向の部分には端子逃がし部２９が設けられているので、接続すべきフラット導体２の隣のフラット導体２に先にフラットケーブル接続端子４が接続されていても、このフラットケーブル接続端子４に後から加圧力を加えないで接続を行って、図７に示すような各フラット導体２の先端部にフラットケーブル接続端子４が接続されたフラットケーブル１を得ることができる。
【００３６】
上記例では、フラット導体２が複数条のフラットケーブル１の場合について説明したが、フラット導体２が１条のフラットケーブル１の場合には、トリミングスリット５の形成は必要ないので、フラットケーブル用端子接続治具１７のトリミング突起２５とトリミング突起受け溝２６は省略することができる。
【００３７】
また上記例では、フラットケーブル１の端部のフラット導体２に、端子本体６を有するフラットケーブル接続端子４を接続する場合について示したが、図８で端子本体６がなく、端子板部７の幅方向の両側に複数のクリンプ片８を立設したフラットケーブル接続端子４を用いて、フラットケーブル１の相互の端部を突き合わせて、あるいは重ね合わせて、接続すべき相互のフラット導体２を端子板部７の各クリンプ片８で導通接続する用途、フラットケーブル１の長手方向の途中で分岐フラットケーブルを端子板部７の各クリンプ片８で導通接続する用途等にも、このフラットケーブル用端子接続治具１７を使用することができる。これらの用途に使用する時には、ケーブル先端位置決め部２７は不要である。このため、これらの場合には、ケーブル先端位置決め部２７を備えていないフラットケーブル用端子接続治具１７を用いたり、ケーブル先端位置決め部２７を挟み部の孔から抜いて用いればよい。
【００３８】
本発明の請求項の他の請求項について、請求項１，２と共に、その目的、構成、効果について記載する。
【００３９】
本発明の目的は、携帯型の安価な設備で、電源のない所でもフラットケーブル接続端子の接続を容易に行えるフラットケーブル用端子接続治具を提供することにある。
【００４０】
本発明の他の目的は、フラットケーブルに対するトリミングスリットの形成も一緒に行えるフラットケーブル用端子接続治具を提供することにある。
【００４１】
本発明の他の目的は、フラット導体の位置決めを目視により容易に行えるフラットケーブル用端子接続治具を提供することにある。
【００４２】
本発明の他の目的は、フラットケーブルの先端の位置決めを容易に行えるフラットケーブル用端子接続治具を提供することにある。
【００４３】
本発明の他の目的は、接続すべきフラット導体の隣のフラット導体に先にフラットケーブル接続端子が接続されていても、このフラットケーブル接続端子に後から加圧力を加えないで接続を行えるフラットケーブル用端子接続治具を提供することにある。
【００４４】
［請求項１］
フラット導体がフラット絶縁被覆で被覆されたフラットケーブルに、端子板部の幅方向の両側に複数のクリンプ片が立設されている構造のフラットケーブル接続端子の前記各クリンプ片を前記フラット導体の箇所で突き刺し、前記クリンプ片と前記フラット導体との導通を取り、前記フラットケーブルを突き抜けた前記各クリンプ片を折り曲げて加締めるフラットケーブル用端子接続治具において、
１対の挟みアームを連結軸でＸ形に開閉自在に連結して、前記連結軸に対して一方側が１対の柄部、他方側が１対の挟み部となっている挟み工具を備え、１対の前記挟み部の一方の内面には前記フラットケーブル接続端子を前記各クリンプ片が他方の前記挟み部の内面に対向する向きで仮留めする端子仮留め溝が設けられ、１対の前記挟み部の他方の内面には前記フラットケーブルを突き抜けた前記各クリンプ片を折り曲げて加締めるクリンプ片曲成加締め凹部が設けられていることを特徴とするフラットケーブル用端子接続治具。
【００４５】
［請求項２］
１対の前記挟み部のいずれか一方の内面には前記フラットケーブルの前記フラット導体の幅方向の両側で前記フラット絶縁被覆をトリミングする１対のトリミング突起が突設され、１対の前記挟み部の他方の内面には１対の前記トリミング突起を受けるトリミング突起受け溝が設けられていることを特徴とする請求項１に記載のフラットケーブル用端子接続治具。
【００４６】
［請求項３］
１対の前記挟み部のいずれか一方の外面には前記フラット導体の幅方向の位置決めのためのフラット導体位置決め目標部が設けられていることを特徴とする請求項１または２に記載のフラットケーブル用端子接続治具。
【００４７】
［請求項４］
１対の前記挟み部のいずれか一方には前記フラットケーブルの先端の先端の位置決めのためのケーブル先端位置決め部が設けられていることを特徴とする請求項１〜３のいずれか１項に記載のフラットケーブル用端子接続治具。
【００４８】
［請求項５］
１対の前記挟み部の幅方向の端部には端子逃がし部が設けられていることを特徴とする請求項１〜４のいずれか１項に記載のフラットケーブル用端子接続治具。
【００４９】
次に、このような発明の効果について記載する。
【００５０】
本発明に係るフラットケーブル用端子接続治具は、１対の挟みアームを連結軸でＸ形に開閉自在に連結して、連結軸に対して一方側が１対の柄部、他方側が１対の挟み部となっている挟み工具を備え、１対の挟み部の一方の内面にはフラットケーブル接続端子を各クリンプ片が他方の前記挟み部の内面に対向する向きで仮留めする端子仮留め溝が設けられ、１対の挟み部の他方の内面にはフラットケーブルを突き抜けた各クリンプ片を折り曲げて加締めるクリンプ片曲成加締め凹部が設けられた構造になっているので、携帯型の安価な設備であり、電源のない所でもフラットケーブル接続端子の接続を容易に行うことができる。
【００５１】
この場合、１対の挟み部のいずれか一方の内面にはフラットケーブルのフラット導体の幅方向の両側でフラット絶縁被覆をトリミングする１対のトリミング突起が突設され、１対の挟み部の他方の内面には１対のトリミング突起を受けるトリミング突起受け溝が設けられていると、１対の挟み部でフラットケーブルを挟む際にフラットケーブルに対するトリミングスリットの形成も一緒に行うことができる。
【００５２】
また、１対の挟み部のいずれか一方の外面にはフラット導体の幅方向の位置決めのためのフラット導体位置決め目標部が設けられていると、このフラット導体位置決め目標部を目標にフラット導体が存在するようにフラットケーブルの位置決めをすることにより、フラット導体の位置決めを目視により容易に行うことができる。
【００５３】
また、１対の挟み部のいずれか一方にはフラットケーブルの先端の先端の位置決めのためのケーブル先端位置決め部が設けられていると、このケーブル先端位置決め部にフラットケーブルの先端を当てることにより、フラットケーブルの先端の位置決めを容易に行うことができる。
【００５４】
さらに、１対の挟み部の幅方向の端部に端子逃がし部が設けられていると、接続すべきフラット導体の隣のフラット導体に先にフラットケーブル接続端子が接続されていても、このフラットケーブル接続端子に後から加圧力を加えないで接続を行うことができる。
【図面の簡単な説明】
【００５５】
【図１】本発明に係るフラットケーブル用端子接続治具の実施の形態の一例を示した側面図である。
【図２】図１の先端に設けられている挟み部の矢視図であって、（Ａ）は図１のＡ方向矢視図、（Ｂ）は図１のＢ方向矢視図である。
【図３】図２の（Ａ）のＣ方向矢視図である。
【図４】本例のフラットケーブル用端子接続治具でフラットケーブルに接続作業を行っている状態の平面図である。
【図５】本例のフラットケーブル用端子接続治具でフラットケーブルを挟持する前の状態を示す横断面図である。
【図６】本例のフラットケーブル用端子接続治具でフラットケーブルを挟持した状態を示す横断面図である。
【図７】フラットケーブルにフラットケーブル接続端子を接続した状態の平面図である。
【図８】フラットケーブルとフラットケーブル接続端子の一例を示す斜視図である。
【図９】フラットケーブルにフラットケーブル接続端子を接続した状態の一例を示す斜視図である。
【図１０】フラットケーブルにフラットケーブル接続端子を接続する従来の装置の横断面図である。
【符号の説明】
【００５６】
１  フラットケーブル
２  フラット導体
３  フラット絶縁被覆
４  フラットケーブル接続端子
５  トリミングスリット
６  雌端子本体
７  端子板部
８  クリンプ片
９  接続部
１０  フラットケーブル用端子接続装置
１１  ケーブル支え台
１２  クリンプ片受け溝
１３  仕切り板
１４  クリンプ片曲成加締め凹部
１５  アンビル
１６  ガイド部材
１７  フラットケーブル用端子接続治具
１８，１９  挟みアーム
１８ａ，１９ａ  柄部
１８ｂ，１９ｂ  挟み部
２０  連結軸
２１  挟み工具
２２  端子仮留め溝
２３  クリンプ片曲成加締め凹部
２４  端子本体受け凹部
２５  トリミング突起
２６  トリミング突起受け溝
２７  ケーブル先端位置決め部
２８  受け孔
２９  端子逃がし部
【図１】
2005050718.tif 000003
【図２】
2005050718.tif 000004
【図３】
2005050718.tif 000005
【図４】
2005050718.tif 000006
【図５】
2005050718.tif 000007
【図６】
2005050718.tif 000008
【図７】
2005050718.tif 000009
【図８】
2005050718.tif 000010
【図９】
2005050718.tif 000011
【図１０】
2005050718.tif 000012